(57)【要約】【課題】表示画面にコンテンツを表示する際に、コンテンツに形成された例えば、破れ、開き癖等の模擬的な傷みを表示画面に表示することにより、実物の本の場合と類似する効果を得ることができ、また、コンテンツを表示する度に、前に形成されている模擬的な傷をもコンテンツと対応して表示することにより、実物の本の表示と一層に近くすることが可能であり、実物の本に慣れている使用者に違和感を与えることない表示装置、表示方法、コンピュータプログラム及び記録媒体を提供することにある。【解決手段】操作検知部８は表示画面に対する操作を検知し、検知結果に基づいて、表示制御部７は操作によりコンテンツに形成される模擬的な傷みを表す傷み情報を表示する。【選択図】図１
2012216148.tif 000002
【特許請求の範囲】
【請求項１】
表示画面にコンテンツを表示する表示手段と、該表示手段の表示画面に対する操作を検知する検知手段とを備える表示装置において、
前記検知手段の検知結果に基づいて、前記操作により前記コンテンツに形成された模擬的な傷みを表す傷み情報を表示する情報表示手段を備えることを特徴とする表示装置。
【請求項２】
前記操作の内容及び／又は前記操作の回数に基づいて前記傷み情報を決定する決定手段を備えることを特徴とする請求項１に記載の表示装置。
【請求項３】
前記コンテンツは複数ページの画像からなる画像群であることを特徴とする請求項１又は２に記載の表示装置。
【請求項４】
前記傷み情報を前記コンテンツの該傷み情報が表す模擬的な傷みが形成されたページに対応付けて記憶する記憶手段を備え、
前記情報表示手段は、前記表示手段に前記ページが表示された場合、該ページに対応する傷み情報を表示するようにしてあることを特徴とする請求項３に記載の表示装置。
【請求項５】
前記検知手段は、前記操作が前記表示画面に対する接触操作であると検知した場合、前記表示画面に対する前記接触操作の接触面積を検知するようにしてあることを特徴とする請求項３又は４に記載の表示装置。
【請求項６】
前記検知手段は、前記操作が前記表示画面に対する移動を伴う接触操作であると検知した場合、前記表示画面に対する前記接触操作の移動速度を検知するようにしてあることを特徴とする請求項３又は４に記載の表示装置。
【請求項７】
その動きを検知する手段を備えることを特徴とする請求項１から６の何れか一つに記載の表示装置。
【請求項８】
その姿勢を検知する手段を備え、
前記情報表示手段は、検知された動き及び姿勢に基づいて、情報表示手段に表示されている傷み情報をクリアするようにしてあることを特徴とする請求項７に記載の表示装置。
【請求項９】
表示画面にコンテンツを表示する表示手段と、該表示手段の表示画面に対する操作を検知する検知手段とを備える表示装置における表示方法であって、
前記検知手段の検知結果に基づいて、前記操作によりコンテンツに形成される模擬的な傷みを表す傷み情報を表示することを特徴とする表示方法。
【請求項１０】
表示画面にコンテンツを表示する表示手段と、該表示手段の表示画面に対する操作を検知する検知手段とを備える表示装置を構成するコンピュータにおけるコンピュータプログラムにおいて、
コンピュータに、
前記検知手段にて検知した操作が所定の操作であるか否かを判定するステップと、
検知した操作が所定の操作であると判定した場合、該操作によりコンテンツに形成される模擬的な傷みを表す傷み情報を決定するステップと
を実行させることを特徴とするコンピュータプログラム。
【請求項１１】
請求項１０に記載のコンピュータプログラムを記録してあることを特徴とするコンピュータでの読み取りが可能な記録媒体。
【発明の詳細な説明】
【技術分野】
【０００１】
本発明は、所定のコンテンツを表示するとともに、該コンテンツに形成された模擬的な傷みに係る情報を表示する表示装置、表示方法及びコンピュータプログラム、並びに該コンピュータプログラムが記録される記録媒体に関する。
【背景技術】
【０００２】
近年、デジタルコンテンツを再生できるさまざまな携帯型情報端末が普及している。その中でも、いわゆる電子書籍をインストールして、場所と時間とを選ばず読書を楽しむことができる携帯型情報端末が広く普及されつつある。
【０００３】
例えば、特許文献１においては、表示画面にタッチパネルが配置され、実物の書籍をめくるかのごとく、該表示画面に表示されているページの画像に指をタッチしてめくり方向へスライドさせることで順次ページ画像をめくり、又は目的のタブをタッチすることでダイレクトに特定ページに移動できる携帯情報機器が開示されている。
【０００４】
また、特許文献２においては、加速度センサを備えており装置に振動等の加速度を与えるとこれを検出し、加速度が加わる継続時間を測定して、所定の指示を受け付ける携帯端末装置が開示されている。
【０００５】
更に、特許文献３においては、電話機能とメール機能等の通信機能を有し、さらに携帯端末の方向を検知する方向センサ又は加速度センサを有し、該携帯端末の方向と方向の変化の速度とにより、所定の指示を受け付け、受け付けた指示の内容が音声によりガイドされる携帯端末が開示されている。
【先行技術文献】
【特許文献】
【０００６】
【特許文献１】特開２０００−１６３１９３号公報
【特許文献２】特開２００３−１６３７４２号公報
【特許文献３】特開２０１０−２５２２０１号公報
【発明の概要】
【発明が解決しようとする課題】
【０００７】
しかしながら、上述したような従来の携帯型情報端末においては、どんな操作が行われたとしても、実物の本のように使用に伴って皺、破れ、汚れ等の傷みを表してくることができず、実物の本の再現という点では充実されておらず、長時間使用したとしても、表示されるコンテンツの新しさが変化することがないため、実物の本に慣れている使用者に違和感を与える場合がある。
【０００８】
例えば、実物の本の使用においては、閲読の回数及び時間の増加に伴い、本が古くなったり、ページを勢いよくめくると、紙が破れたり、見開きの間の綴じ部を何度も押すと、見開きの間に開き癖がついたりすることがある。これにより、本にある程度の傷みが残っている。しかし、このような使用者（読者）の使用による傷みについては、特許文献１〜特許文献３に係る発明の何れにおいても、考慮されていない。
【０００９】
本発明は、斯かる事情に鑑みてなされたものであり、その目的とするところは、表示画面にコンテンツを表示する際に、コンテンツに形成された例えば、破れ、開き癖等の模擬的な傷みを表示画面に表示することにより、実物の本の場合と類似する効果を得ることができ、また、コンテンツを表示する度に、前に形成されている模擬的な傷をもコンテンツと対応して表示することにより、実物の本の表示と一層に近くすることが可能であり、実物の本に慣れている使用者に違和感を与えることがない表示装置、表示方法、コンピュータプログラム及び記録媒体を提供することにある。
【課題を解決するための手段】
【００１０】
本発明に係る表示装置は、表示画面にコンテンツを表示する表示手段と、該表示手段の表示画面に対する操作を検知する検知手段とを備える表示装置において、前記検知手段の検知結果に基づいて、前記操作により前記コンテンツに形成された模擬的な傷みを表す傷み情報を表示する情報表示手段を備えることを特徴とする表示装置。
【００１１】
本発明にあっては、検知手段にて表示手段の表示画面に対する操作を検知し、情報表示手段にて検知手段の検知結果に基づいて、操作により前記コンテンツに形成された模擬的な傷みを表す傷み情報を表示する。
【００１２】
本発明に係る表示装置は、前記操作の内容及び／又は前記操作の回数に基づいて前記傷み情報を決定する決定手段を備えることを特徴とする。
【００１３】
本発明にあっては、決定手段にて操作の内容及び／又は操作の回数に基づいて傷み情報を決定する。
【００１４】
本発明に係る表示装置は、前記コンテンツは複数ページの画像からなる画像群であることを特徴とする。
【００１５】
本発明にあっては、コンテンツは複数ページの画像を含んでおり、特定ページが表示された場合、情報表示手段にて該特定ページに対応する傷み情報を表示する。
【００１６】
本発明に係る表示装置は、前記傷み情報を前記コンテンツの該傷み情報が表す模擬的な傷みが形成されたページに対応付けて記憶する記憶手段を備え、前記情報表示手段は、前記表示手段に前記ページが表示された場合、該ページに対応する傷み情報を表示するようにしてあることを特徴とする。
【００１７】
本発明にあっては、記憶手段にコンテンツの模擬的な傷みが形成されたページに対応付けて傷み情報を記憶しており、情報表示手段にて、前記ページが表示された場合、該ページに対応する傷み情報を表示する。
【００１８】
本発明に係る表示装置は、前記検知手段は、前記操作が前記表示画面に対する接触操作であると検知した場合、前記表示画面に対する前記接触操作の接触面積を検知するようにしてあることを特徴とする。
【００１９】
本発明にあっては、検知手段にて、操作が表示画面に対する接触操作であると検知した場合、表示画面に対する前記接触操作の接触面積を検知し、検知した接触面積に基づいて適当な傷み情報を情報表示部にて表示する。
【００２０】
本発明に係る表示装置は、前記検知手段は、前記操作が前記表示画面に対する移動を伴う接触操作であると検知した場合、前記表示画面に対する前記接触操作の移動速度を検知するようにしてあることを特徴とする。
【００２１】
本発明にあっては、検知手段にて、操作が表示画面に対する接触操作であると検知した場合、表示画面に対する前記接触操作の移動速度を検知し、検知した移動速度に基づいて適当な傷み情報を情報表示部にて表示する。
【００２２】
本発明に係る表示装置は、その動きを検知する手段を備えることを特徴とする。
【００２３】
本発明にあっては、表示装置の動きを検知する手段を備え、情報表示部にて検知した表示装置の動きに基づいて適当な傷み情報を表示する。
【００２４】
本発明に係る表示装置は、その姿勢を検知する手段を備え、前記情報表示手段は、検知された動き及び姿勢に基づいて、情報表示手段に表示されている傷み情報をクリアするようにしてあることを特徴とする。
【００２５】
本発明にあっては、表示装置の姿勢を検知する手段を備え、検知した表示装置の動き及び姿勢に基づいて情報表示手段に表示されている傷み情報をクリアすることが可能である。
【００２６】
本発明に係る表示方法は、表示画面にコンテンツを表示する表示手段と、該表示手段の表示画面に対する操作を検知する検知手段とを備える表示装置における表示方法であって、前記検知手段の検知結果に基づいて、前記操作によりコンテンツに形成される模擬的な傷みを表す傷み情報を表示することを特徴とする。
【００２７】
本発明にあっては、検知手段にて表示手段の表示画面に対する操作を検知し、情報表示手段にて検知手段の検知結果に基づいて、操作により前記コンテンツに形成された模擬的な傷みを表す傷み情報を表示する。
【００２８】
本発明に係るコンピュータプログラムは、表示画面にコンテンツを表示する表示手段と、該表示手段の表示画面に対する操作を検知する検知手段とを備える表示装置を構成するコンピュータにおけるコンピュータプログラムにおいて、コンピュータに、前記検知手段にて検知した操作が所定の操作であるか否かを判定するステップと、検知した操作が所定の操作であると判定した場合、該操作によりコンテンツに形成される模擬的な傷みを表す傷み情報を決定するステップとを実行させることを特徴とする。
【００２９】
本発明にあっては、該表示手段の表示画面に対する操作を検知し、検知手段の検知結果に基づいて、検知した操作が所定の操作であるか否かを判定し、検知した操作が所定の操作であると判定した場合、該操作によりコンテンツに形成される模擬的な傷みを表す傷み情報を決定する。
【００３０】
本発明に係る記録媒体は、前述の発明のコンピュータプログラムを記録してあることを特徴とする。
【００３１】
本発明にあっては、前記記録媒体に前述のコンピュータプログラムを記録する。コンピュータが前記記録媒体からコンピュータプログラムを読み出して、前述の表示装置及び表示方法がコンピュータにより実現される。
【発明の効果】
【００３２】
本発明によれば、表示画面にコンテンツを表示する際に、使用者による表示画面に対する操作に基づいて、コンテンツに形成された例えば、破れ、開き癖等の模擬的な傷みを表示画面に表示することにより、実物の本の場合と類似する効果を得ることができ、また、コンテンツを表示する度に、前に形成されていた模擬的な傷をもコンテンツと対応して表示することにより、実物の本に慣れている使用者に違和感を与えることなく、実物の本の表示と一層に近くすることができる。
【図面の簡単な説明】
【００３３】
【図１】本発明の実施の形態１の書籍データ表示装置の要部構成を示す機能ブロック図である。
【図２】本発明の実施の形態１の書籍データ表示装置の情報管理テーブルを概念的に示す図である。
【図３】本発明の実施の形態１の書籍データ表示装置における表示の処理を説明するフローチャートである。
【図４】所定操作を受け付けた場合の処理の具体例を表すフローチャートである。
【図５】使用者によるページめくりの操作を示す模式図である。
【図６】ページめくりの操作における傷み情報決定の処理の一例を表すフローチャートである。
【図７】表示画面にページめくりの操作による傷みを模擬的に表示する模式図である。
【図８】使用者による綴じ部押圧の操作を示す模式図である。
【図９】綴じ部押圧の操作における傷み情報決定の処理の一例を表すフローチャートである。
【図１０】表示画面に綴じ部押圧の操作による傷みを模擬的に表示する模式図である。
【図１１】傷み情報の表示形態の一例を示す模式図である。
【図１２】本発明の実施の形態２の書籍データ表示装置の要部構成を示す機能ブロック図である。
【図１３】本発明の実施の形態２の書籍データ表示装置の検出部の要部構成を示す機能ブロック図である
【図１４】本発明の実施の形態３の書籍データ表示装置の要部構成を示す機能ブロック図である。
【発明を実施するための形態】
【００３４】
以下に、本発明の実施の形態に係る表示装置、表示方法及びコンピュータプログラムを、書籍データ表示装置に適用した場合を例として、図面に基づいて詳述する。
【００３５】
（実施の形態１）
図１は本発明の実施の形態１の書籍データ表示装置１００の要部構成を示す機能ブロック図である。書籍データ表示装置１００はＣＰＵ１、ＲＯＭ２及びＲＡＭ３を備えている。
【００３６】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００３７】
ＣＰＵ１は、ＲＯＭ２に予め格納されている制御プログラムをＲＡＭ３上にロードして実行することによって、バスＮを介して下記の各種ハードウェアの制御を行い、装置全体を本発明の書籍データ表示装置１００として動作させる。また、ＣＰＵ１は、後述する操作検知部８を介して、使用者から処理の指示の入力を受け付ける。
【００３８】
本発明の実施の形態１の書籍データ表示装置１００は、記憶部４と、情報決定部５と、表示部６と、表示制御部７と、操作検知部８とを更に備えている。
【００３９】
記憶部４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部４は、書籍データ記憶部４１、傷みデータ記憶部４２及び情報管理テーブル４３を有している。
【００４０】
書籍データ記憶部４１には、複数の書籍データが記憶されている。該書籍データは複数ページの画像からなる電子書籍のコンテンツデータであり、表示制御部７は該書籍データに基づき、表示部６に電子書籍のページ画像を表示する。また、該書籍データは、図示しないＩ／Ｆを介して外部の通信ネットワークからダウンロードされるか、又は図示しない可搬型の記録媒体に記録されたものが読み込まれ、上述したように、書籍データ記憶部４１に記憶される。
【００４１】
傷みデータ記憶部４２には、各操作による模擬的な傷みを示すための画像データ（以下、傷みデータと言う）が記憶されている。模擬的な傷みとして、例えば、ページめくり又はページ戻しの操作による「皺」、「破れ」、「角汚れ」と、ページの端を折る操作による「角折り」と、綴じ部押圧の操作による各程度の「綴じ部の幅が広くなる」等を挙げることができる。
【００４２】
情報管理テーブル４３には、書籍データ記憶部４１に記憶されている書籍データの内訳と、各書籍データに係る傷み情報とについて書き込まれており、記憶部４の書籍データ記憶部４１に記憶されている各書籍データの傷み情報を管理するためのものである。書籍データ表示装置１００にて情報管理テーブル４３に基づき、当該傷み情報の表示が行われる。
【００４３】
図２は本発明の実施の形態１の書籍データ表示装置１００の情報管理テーブル４３を概念的に示す図である。図２に示すように、情報管理テーブル４３には、書籍データの内訳として、電子書籍の番号と、本の名前と、ページ数とが書き込まれており、傷み情報として、該傷み情報が表す模擬的な傷みが形成されたページ（番号）に対応付けて書き込まれている。図２において、説明の便宜上、前述した「皺」、「破れ」、「角汚れ」、「角折り」、「綴じ部の幅が広くなる」の夫々を単に「皺」、「破」、「汚」、「折」、「開」と記す。
【００４４】
即ち、情報管理テーブル４３には、書籍データＤ−００１においては、本の名前が「○○の○○」であり、ページ数が１５３ページであり、傷み情報１として、第２５ページと第２６ページとの間の綴じ部の幅を広く表示する旨が書き込まれており、傷み情報２として、第７１ページの角部で汚れを表示する旨が書き込まれており、傷み情報３として、第９３ページで皺を表示する旨が書き込まれている。また、書籍データＤ−００２においては、本の名前が「○○」であり、ページ数が８３ページであり、傷み情報１として、第５１ページと第５２ページとの間の綴じ部の幅を広く表示する旨が書き込まれており、傷み情報２として、第６２ページで角折りを表示する旨が書き込まれている。書籍データＤ−００３においては、本の名前が「○○○の進め」であり、ページ数が２５６ページであり、傷み情報１として、第２ページで破れを表示する旨が書き込まれており、傷み情報２として、第６ページと第７ページとの間の綴じ部の幅を広く表示する旨が書き込まれており、傷み情報３として、第５３ページと第５４ページとの間の綴じ部の幅を広く表示する旨が書き込まれている。更に書籍データＤ−００４においては、本の名前が「○○○○」であり、ページ数が３６２ページであり、傷み情報１として、第３０２ページと第３０３ページとの間の綴じ部の幅を広く表示する旨が書き込まれており、傷み情報２として、第３０４ページと第３０５ページとの間の綴じ部の幅を広く表示する旨が書き込まれており、傷み情報３として、第３２２ページと第３２３ページとの間の綴じ部の幅を広く表示する旨が書き込まれている。そして書籍データＤ−００５においては、本の名前が「○が○○」であり、ページ数が１９８ページであり、傷み情報１として、第５ページで破れを表示する旨が書き込まれており、傷み情報２として、第６ページで破れを表示する旨が書き込まれており、傷み情報３として、第２６ページで角折りを表示する旨が書き込まれている。
【００４５】
情報決定部５は、ＣＰＵ１からの指示に応じて、表示すべき模擬的な傷みを表す傷み情報を決定する。詳しくは、情報決定部５は、後述する操作検知部８の検知結果に基づき、操作に対応する傷みの形態及び程度を決定する。
【００４６】
表示部６は、例えば、ＬＣＤ又はＥＬ（Electroluminescence）パネル等からなり、電子書籍のコンテンツが表示される。また、表示部６の表示画面は後述する操作検知部８のタッチパネルによって覆われている。
【００４７】
表示制御部７は、ＤＳＰ（Digital Signal Processor）のようなプロセッサにより構成され、表示部６への画像表示を制御する。例えば、ＣＰＵ１の指示に応じて表示部６に表示すべき画像の画像データを生成する。詳しくは、表示制御部７は、前記書籍データに基づき、表示部６に表示すべき電子書籍のコンテンツの画像データを生成し、生成された画像データに基づく画像（電子書籍のコンテンツ）を表示部６に表示したり、前記傷みデータに基づき、表示部６に表示すべき模擬的な傷みの画像データを生成し、生成された画像データに基づく画像を表示部６に表示したりする。
【００４８】
操作検知部８は、表示部６の表示画面を覆うように設けられている、いわゆるタッチパネルを有している。操作検知部８は、例えば、該タッチパネルにて使用者のタッチ操作による表示部６の表示画面上の位置指定を受け付けると共に、使用者のタッチ操作の指示内容を検知するものである。
【００４９】
操作検知部８は、例えば、使用者の指先のタッチ操作による圧力の変化を検知し、又は静電気による電気信号を検知して、使用者の指先の接触点に対応する表示部６の表示画面上の座標を検出し、該座標を特定する信号を発生する。また、操作検知部８は、例えば、検出した座標の変化に基づいて、ページめくり、ページ戻し、角折り、綴じ部押圧等の操作の内の何れかを検知したり、表示画面に対する使用者の指先の移動速度、接触面積等を検知したりする。また、操作検知部８は、これに限るものでなく、ポインティングデバイス（例えば、スタイラスペン）等による構成であっても良い。
【００５０】
以下、本発明の実施の形態１の書籍データ表示装置１００にて行われる、表示の処理について詳しく説明する。
【００５１】
図３は本発明の実施の形態１の書籍データ表示装置１００における表示の処理を説明するフローチャートである。
【００５２】
使用者が書籍データ表示装置１００の電源スイッチ（図示せず）をオンにすると、ＣＰＵ１はシステムチェックを行い（ステップＳ１）、問題がなければ初期画面として電子書籍の選択画面を表示する（ステップＳ２）。
【００５３】
使用者は、例えば、表示部６の表示画面をタッチする操作により、前記選択画面に表示される複数の電子書籍の中から希望する電子書籍を選択する。この際の使用者によるタッチ操作により、ＣＰＵ１は操作検知部８を介して何れかの電子書籍の選択を受け付ける。
【００５４】
ＣＰＵ１は、操作検知部８からの信号に基づき、電子書籍の選択を受け付けたか否かを判定する（ステップＳ３）。ＣＰＵ１は電子書籍の選択を受け付けていないと判定した場合（ステップＳ３：ＮＯ）、電子書籍の選択を受け付けるまで斯かる判定を繰り返す。
【００５５】
また、ＣＰＵ１は電子書籍の選択を受け付けたと判定した場合（ステップＳ３：ＹＥＳ）、受け付けた選択に係る電子書籍の表示を表示制御部７に指示する。表示制御部７は、ＣＰＵ１の指示に応じて、書籍データ記憶部４１に記憶されている書籍データに基づき、選択された電子書籍の画像及びページの選択画面を表示部６に表示する（ステップＳ４）。
【００５６】
使用者は、例えば、ページの選択画面をタッチする操作により、読みたいページを選択する。この際の使用者によるタッチ操作により、ＣＰＵ１は操作検知部８を介してページの選択を受け付ける。
【００５７】
ＣＰＵ１は操作検知部８からの信号に基づき、ページの選択を受け付けたか否かを判定する（ステップＳ５）。ＣＰＵ１はページの選択を受け付けていないと判定した場合（ステップＳ５：ＮＯ）、ページの選択を受け付けるまで斯かる判定を繰り返す。
【００５８】
ＣＰＵ１はページの選択を受け付けたと判定した場合（ステップＳ５：ＹＥＳ）、受け付けた選択に係るページの画像表示を表示制御部７に指示する。表示制御部７は、ＣＰＵ１の指示に応じて、書籍データ記憶部４１に記憶されている書籍データに基づき、選択されたページの画像を表示部６に表示する（ステップＳ６）。
【００５９】
ＣＰＵ１は、例えば図２の情報管理テーブル４３に基づいて、表示されるページに関する傷み情報があるか否かを判定する（ステップＳ７）。ＣＰＵ１は表示されるページに関する傷み情報がないと判定した場合（ステップＳ７：ＮＯ）、処理をステップＳ９に進める。
【００６０】
ＣＰＵ１は表示されるページに関する傷み情報があると判定した場合（ステップＳ７：ＹＥＳ）、当該傷み情報に係る画像の表示を表示制御部７に指示する。表示制御部７は、ＣＰＵ１の指示に応じて、情報管理テーブル４３を参照して、傷みデータ記憶部４２に記憶されている傷みデータに基づき、傷み情報を表示部６に表示する（ステップＳ８）。
【００６１】
ＣＰＵ１は操作検知部８を監視することにより、表示部６の表示画面上をタッチする使用者の操作があったか否かを判定する（ステップＳ９）。
【００６２】
ＣＰＵ１は表示部６の表示画面上をタッチする使用者の操作があったと判定した場合（ステップＳ９：ＹＥＳ）、使用者の操作が所定操作であるか否かを判定する（ステップＳ１０）。所定操作とは、表示されているコンテンツに模擬的な傷みを形成することになる操作を指すが、必要に応じて設定することができる。
【００６３】
本実施の形態では、説明の便宜上、所定操作として、速度が所定以上のページめくり及びページ戻し、角折り、綴じ部押圧という四つの操作を例示している。
【００６４】
ページめくり及びページ戻しの操作は、タッチパネルに対する左右方向の移動を伴うタッチ操作であり、且つ、その移動速度が予めに設定された閾値Ｖ０より大きい。ここで、閾値Ｖ０は、実物の本に皺が形成される移動速度の閾値である。角折りの操作は、例えばタッチパネルのページの端と対応する部位に対する二点タッチ操作である。綴じ部押圧の操作は、タッチパネルの綴じ部に対応している部位に対するタッチ操作である。
【００６５】
ＣＰＵ１は使用者の操作が所定操作であると判定した場合（ステップＳ１０：ＹＥＳ）、情報決定部５に傷み情報の決定を指示する。
【００６６】
情報決定部５はＣＰＵ１の指示に応じて、受け付けた操作に基づいて傷み情報を決定し、ＣＰＵ１は決定された傷み情報を情報管理テーブル４３に書き込んで、情報管理テーブル４３を更新し、受け付けた操作が所定操作のうちページめくり又はページ戻しのような特定操作である場合、この特定操作を実行する（ステップＳ１１）。次に、ＣＰＵ１は処理をステップＳ７に戻す。
【００６７】
ＣＰＵ１は受け付けた操作が所定操作ではないと判定した場合（ステップＳ１０：ＮＯ）、受け付けた操作を実行して（ステップＳ１２）、処理をステップＳ７に戻す。
【００６８】
ＣＰＵ１は表示部６の表示画面上をタッチする使用者の操作がないと判定した場合（ステップＳ９：ＮＯ）、電源スイッチ（図示せず）を監視することにより、終了指示を受け付けたか否かを判定する（ステップＳ１３）。
【００６９】
ＣＰＵ１は、終了指示を受け付けていないと判定した場合（ステップＳ１３：ＮＯ）、処理をステップＳ９に戻す。一方、ＣＰＵ１は終了指示を受け付けたと判定した場合（ステップＳ１３：ＹＥＳ）、電源スイッチをオフにして（ステップＳ１４）、処理を終了する。
【００７０】
このように、本実施の形態の書籍データ表示装置１００では、操作検知部８による使用者の操作の検知結果に基づいて、情報決定部５にて、検知した操作に対応する傷み情報を決定し、表示制御部７にて表示部でコンテンツとともに傷み情報を表示することにより、使用者の操作により表示されているコンテンツに形成された模擬的な傷みを表示することができ、実物の本の場合と類似する効果を得ることができる。また、操作により形成された模擬的な傷みを表す傷み情報を情報管理テーブル４３に書き込んで更新することにより、ページ画像を再度表示するときに従来形成された模擬的な傷みをもコンテンツと共に表示することができ、実物の本に慣れている使用者に違和感を与えることなく、一層実物の本の取り扱いに近い操作が可能である。
【００７１】
次に、図３のステップＳ１１における処理の具体例について図４に基づいて説明する。
【００７２】
図４は、所定操作を受け付けた場合の処理の具体例を表すフローチャートである。
【００７３】
図３のステップＳ１０において、受け付けた操作が所定操作であると判定した場合、図４に示すように、ＣＰＵ１は操作がページめくりの操作であるか否かを判定する（ステップＳ１０１）。
【００７４】
ＣＰＵ１は、ページめくりの操作であると判定した場合（ステップＳ１０１：ＹＥＳ）、情報決定部５に傷み情報の決定を指示する。情報決定部５はＣＰＵ１の指示に従って、ページめくりの操作に対応する傷み情報を決定する（ステップＳ１０２）。
【００７５】
ＣＰＵ１は決定された傷み情報を情報管理テーブル４３に書き込んで、該情報管理テーブル４３を更新し（ステップＳ１０３）、表示制御部７に次ページの表示を指示する。
【００７６】
表示制御部７はＣＰＵ１の指示に従って、表示部６で次ページの画像を表示する（ステップＳ１０４）。次に、ＣＰＵ１は処理をリターンする。
【００７７】
また、ＣＰＵ１はページめくりの操作ではないと判定した場合（ステップＳ１０１：ＮＯ）、ページ戻しの操作であるか否かを判定する（ステップＳ１０５）。ＣＰＵ１はページ戻しの操作であると判定した場合（ステップＳ１０５：ＹＥＳ）、情報決定部５に傷み情報の決定を指示する。情報決定部５はＣＰＵ１の指示に従って、ページ戻しの操作に対応する傷み情報を決定する（ステップＳ１０６）。
【００７８】
ＣＰＵ１は決定された傷み情報を情報管理テーブル４３に書き込んで、該情報管理テーブル４３を更新し（ステップＳ１０７）、表示制御部７に前ページの表示を指示する。
【００７９】
表示制御部７はＣＰＵ１の指示に従って、表示部６で前ページの画像を表示する（ステップＳ１０８）。ＣＰＵ１は処理をリターンする。
【００８０】
ＣＰＵ１はページ戻しの操作ではないと判定した場合（ステップＳ１０５：ＮＯ）、角折りの操作であるか否かを判定する（ステップＳ１０９）。ＣＰＵ１は角折りの操作であると判定した場合（ステップＳ１０９：ＹＥＳ）、情報決定部５に傷み情報の決定を指示する。情報決定部５はＣＰＵ１の指示に従って、角折りの操作に対応する傷み情報を決定する（ステップＳ１１０）。
【００８１】
ＣＰＵ１は決定された傷み情報を情報管理テーブル４３に書き込んで、該情報管理テーブル４３を更新し（ステップＳ１１１）、処理をリターンする。
【００８２】
ＣＰＵ１は角折りの操作ではないと判定した場合（ステップＳ１０９：ＮＯ）、綴じ部押圧の操作であると判定し（ステップＳ１１２）、情報決定部５に傷み情報の決定を指示する。情報決定部５はＣＰＵ１の指示に従って、綴じ部押圧の操作に対応する傷み情報を決定する（ステップＳ１１３）。
【００８３】
ＣＰＵ１は決定された傷み情報を情報管理テーブル４３に書き込んで、該情報管理テーブル４３を更新し（ステップＳ１１４）、処理をリターンする。
【００８４】
次に、ページめくりの操作を例として、図５〜図７に基づいて、図４のステップＳ１０２及びステップＳ１０３における傷み情報決定の処理の一例について説明する。図５は使用者によるページめくりの操作を示す模式図であり、図６はページめくりの操作における傷み情報決定の処理の一例を表すフローチャートであり、図７は表示画面にページめくりの操作による傷みを模擬的に表示する模式図である。
【００８５】
図５に示すように、使用者が指先で表示画面をタッチしながら左方向へスライドしてページめくりの操作を実行した場合、操作検知部８にて該ページめくりの操作を受け付け、使用者の指先の移動速度Ｖを検知する。
【００８６】
ＣＰＵ１は、図４のステップＳ１０１において、受け付けた操作がページめくりの操作であると判定した場合、図６に示すように、操作検知部８に検知した移動速度Ｖが所定の速度Ｖ１より大きいか否かを判定する（ステップＳ１０２１）。ここで、所定の速度Ｖ１は実物の本に破れが形成される速度であるため、前記閾値Ｖ０より大きく設定されている。
【００８７】
ＣＰＵ１は、移動速度Ｖが所定の速度Ｖ１より大きいと判定した場合（ステップＳ１０２１：ＹＥＳ）、傷み情報として、ページに破れが形成されることを表す「破」を決定する（ステップＳ１０２２）。
【００８８】
ＣＰＵ１は、移動速度Ｖが所定の速度Ｖ１より大きくないと判定した場合（ステップＳ１０２１：ＮＯ）、傷み情報として、ページ画像に皺が形成されることを表す「皺」を決定する（ステップＳ１０２３）。
【００８９】
ＣＰＵ１はページめくりの操作の回数ｎをカウントし（ステップＳ１０２４）、回数ｎが予めに設定されている閾値ｎ０より大きいか否かを判定し（ステップＳ１０２５）、回数ｎが予めに設定されている閾値ｎ０より大きくないと判定した場合（ステップＳ１０２５：ＮＯ）、処理をリターンする。ここで、閾値ｎ０は実物の本に汚れが形成されるめくり回数の閾値である。
【００９０】
ＣＰＵ１は回数ｎが予めに設定されている閾値ｎ０より大きいと判定した場合（ステップＳ１０２５：ＹＥＳ）、傷み情報として、ページ画像に角部の汚れが形成されることを表す「汚」を決定し（ステップＳ１０２６）、処理をリターンする。
【００９１】
このように、あるページ画像を表示している際に、移動速度が上記所定の速度Ｖ１ほど大きくないめくりの操作を行なった場合、該ページ画像に皺を形成する旨の傷み情報が情報管理テーブルに書き込まれているため、該ページ画像を再度表示する際に、例えば、図７に示すように、表示画面のタッチ操作に対応する部位で皺を表示する。
【００９２】
これにより、本実施の形態の書籍データ表示装置１００では、表示画面に対するタッチ操作の移動速度及びめくり操作の回数に基づいて傷み情報を決定することができるが、これに限らず、タッチ操作の移動速度及びめくり操作の回数のうちの何れか一つ、又は他の条件に基づいて傷み情報を決定するようにしてもよい。
【００９３】
次に、綴じ部押圧の操作を例として、図８〜図１０に基づいて、図４のステップＳ１１３における傷み情報決定の処理の一例について説明する。図８は、使用者による綴じ部押圧の操作を示す模式図であり、図９は綴じ部押圧の操作における傷み情報決定の処理の一例を表すフローチャートである。図１０は表示画面に綴じ部押圧の操作による傷みを模擬的に表示する模式図である。
【００９４】
図８に示すように、使用者が指先又は掌で表示画面の綴じ部をタッチしながら上下方向にスライドして綴じ部押圧の操作を実行した場合、操作検知部８にて該綴じ部押圧の操作を受け付け、表示画面に対する使用者の指先又は掌の接触面積を検知する。
【００９５】
ＣＰＵ１は、図４のステップＳ１１２において、綴じ部押圧の操作であると判定した場合、図９に示すように、検知したタッチ操作の接触面積を取得し（ステップＳ１１３１）、ページ毎に綴じ部押圧の操作の回数をカウントし（ステップＳ１１３２）、接触面積及び操作の回数に基づいて、開き癖に係る傷み情報を決定し（ステップＳ１１３３）、処理をリターンする。
【００９６】
このように、見開きで電子書籍を表示している際に、綴じ部押圧の操作を行なった場合、押圧の程度に対応する開き癖を付ける旨の傷み情報が情報管理テーブルに書き込まれているため、例えば、図１０に示すように、綴じ部を通常より広く表示している。
【００９７】
これにより、本実施の形態の書籍データ表示装置１００では、表示画面に対するタッチ操作の接触面積及び綴じ部押圧の操作の回数に基づいて傷み情報を決定することができるが、これに限らず、タッチ操作の接触面積及び綴じ部押圧の操作の回数のうちの何れか一つ、又は他の条件に基づいて傷み情報を決定するようにしてもよい。
【００９８】
本実施の形態において、所定操作として、タッチ操作の移動速度が閾値Ｖ０よりも大きいページめくり及びページ戻しの操作と、角折りの操作と、綴じ部押圧の操作という四つの操作を使った場合について説明したが、本実施の形態では、これらの操作に限らず、他の内容の操作であってもよく、これらの操作の一部であってもよい。
【００９９】
例えば、表示の操作を所定操作とし、ページごとに表示される時間をカウントし、表示される時間が一定の値を超えた場合、該ページの色を変える旨を傷み情報として情報管理テーブルに書き込む形態であってもよい。また、本実施の形態では、ページにしおりを挟むという情報を付与する操作、又はページ画像に対する文字の追記等の書き込む操作を使用することもできる。
【０１００】
本実施の形態において、傷み情報の表示形態として、「皺」、「破れ」、「角汚れ」、「角折り」、「綴じ部の幅を広く表示する」等について説明したが、これらの形態に限らず、これ以外の形態を表示するようにしてもよい。
【０１０１】
図１１は、傷み情報の表示形態の一例を示す模式図である。図１１に示すように、電子書籍の両側の複数ページが重なる、いわゆる「小口」部分において、情報管理テーブル４３において「開」に関連付けている両ページの間隔を広く表示するようにしてもよく、他の傷み情報に関連付けているページの前後ページとの間隔を広く表示するようにしてもよい。また、小口部分をフリックすると、傷み情報に関連付けているページを順次に表示するようにしてもよい。
【０１０２】
このように、小口部分において、各傷み情報に関連付けているページの他のページとの間隔を大きくするので、指で上記小口部分をタッチした際に、間隔が大きい箇所は選定される確率が高いため、他のページより、傷み情報に関連付けているページの方が優先的に表示される。これにより、実物の本と一層近い効果を得ることができる。
【０１０３】
また、本実施の形態において、表示画面に対する操作として、タッチ操作を例として説明したが、本実施の形態では、タッチ操作に限らず、従来のクリック操作又は非接触操作であってもよい。例えば、非接触ジェスチャー入力コントローラを備える表示装置において、ページをめくる手の動作（方向）を検知することにより画面上のページをめくる操作を認識してもよい。
【０１０４】
（実施の形態２）
実施の形態２は、実施の形態１において、さらに自装置の動き及び姿勢を検出する手段を備える形態である。なお、以降の説明において、実施の形態１と同様の構成については、実施の形態１を参照するものとし、その説明を省略する。なお、実施の形態１と同様の構成については実施の形態１と同じ符号を付している。
【０１０５】
図１２は本発明の実施の形態２の書籍データ表示装置２００の要部構成を示す機能ブロック図である。図１２に示すように、書籍データ表示装置２００はさらに検出部９と、動き検出部１０と、姿勢検出部１１とを備える。
【０１０６】
図１３は本発明の実施の形態２の書籍データ表示装置２００の検出部９の要部構成を示す機能ブロック図である。検出部９は、複数方向における重力及び加速度を検出する加速度センサ９１と、複数方向における角速度を検出するジャイロセンサ９２とを備えている。
【０１０７】
加速度センサ９１は、図１３に示すように、互いに直交関係にあるＸ軸方向、Ｙ軸方向、Ｚ軸方向の重力及び加速度をそれぞれ検出するＸ軸加速度センサ９１１、Ｙ軸加速度センサ９１２及びＺ軸加速度センサ９１３を有している。
【０１０８】
また、ジャイロセンサ９２は互いに直交関係にあるＸ軸、Ｙ軸、Ｚ軸をそれぞれの回転軸として、それぞれの角速度を検出するＸ軸ジャイロセンサ９２１、Ｙ軸ジャイロセンサ９２２及びＺ軸ジャイロセンサ９２３を有している。
【０１０９】
従って、加速度センサ９１によっては書籍データ表示装置２００の上下前後左右への直線運動の動きが検知でき、ジャイロセンサ９２によっては、書籍データ表示装置２００の回転の動きが検知できる。
【０１１０】
加速度センサ９１及びジャイロセンサ９２は夫々ＡＤ変換部９３に接続されており、ジャイロセンサ９２及び加速度センサ９１から出力される検出結果に係る出力信号は、それぞれのＡＤ変換部９３に送られてアナログ信号からディジタル信号に変換され、該ディジタル信号はＣＰＵ１に与えられる。
【０１１１】
動き検出部１０は、加速度センサ９１及び／又はジャイロセンサ９２による検出結果に基づき、書籍データ表示装置２００自身の様々な方向への動きを検出する。例えば、動き検出部１０は、加速度センサ９１及び／又はジャイロセンサ９２による検出結果に基づき、所定の動きに対してそれが書籍データ表示装置２００自身の上下方向への「振る」動きであることを判定できる。
【０１１２】
姿勢検出部１１は、加速度センサ９１及び／又はジャイロセンサ９２による検出結果に基づき、書籍データ表示装置２００の何れの面がどの方向に向いているか、すなわち、書籍データ表示装置２００の姿勢を検出する。例えば、姿勢検出部１１は、加速度センサ９１及び／又はジャイロセンサ９２による検出結果に基づき、書籍データ表示装置２００の表示部６が下方向に向いているかの判定ができる。
【０１１３】
以上のような動き検出部１０及び姿勢検出部１１による検出結果は、ＣＰＵ１に与えられる。従って、ＣＰＵ１は動き検出部１０及び姿勢検出部１１による検出結果に基づき、書籍データ表示装置２００自身が上下方向に振られたか否か、表示部６が下方向を向いているか否かを判定することができる。
【０１１４】
これにより、本実施の形態の書籍データ表示装置２００では、加速度センサ９２にて装置自身に対する衝撃を検知し、衝撃を検知した場合、検知した衝撃に基づいて書籍の角の傷みを表示制御部７にて表示することができる。
【０１１５】
また、ＣＰＵ１は、表示部６が下方向を向いており、且つ書籍データ表示装置２００自身が上下方向に振られたと判定した場合、表示中の電子書籍に係る傷み情報をクリアする。これにより、簡単に電子書籍を最新の状態に戻すことができる。
【０１１６】
（実施の形態３）
図１４は本発明の実施の形態３の書籍データ表示装置３００の要部構成を示す機能ブロック図である。実施の形態１、２と同様の部分については、同一の符号を付して詳細な説明を省略する。
【０１１７】
実施の形態３の書籍データ表示装置３００は、動作を行うためのコンピュータプログラムを、Ｉ／Ｆ１２を介してＣＤ−ＲＯＭ等の可搬型の記録媒体Ａで提供することが可能であるように構成されている。さらに、実施の形態３の書籍データ表示装置３００は、前記コンピュータプログラムを、図示しない外部装置から通信部１３を介してダウンロードすることも可能であるように構成されている。以下に、その内容を説明する。
【０１１８】
実施の形態３の書籍データ表示装置３００は外装（又は内装）の記録媒体読み取り装置（図示せず）を備えており、操作検知部８にて検知した操作が所定の操作であるか否かを判定させ、検知した操作が所定の操作であると判定した場合、該操作により形成される模擬的な傷みを表す傷み情報を決定させるプログラム等が記録された可搬型の記録媒体Ａを該記録媒体読み取り装置に挿入して、例えば、ＣＰＵ１がＲＯＭ２にこのプログラムをインストールする。かかるプログラムはＲＡＭ３にロードして実行される。これにより、本発明の書籍データ表示装置として機能する。
【０１１９】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【０１２０】
通信部１３を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１２１】
以上の実施の形態は例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１２２】
１  ＣＰＵ
４  記憶部
５  情報決定部
６  表示部
７  表示制御部（情報表示手段）
８  操作検知部
９  検出部
１０  動き検出部
１１  姿勢検出部
１００、２００、３００  書籍データ表示装置
Ａ  記録媒体
【図１】
2012216148.tif 000003
【図２】
2012216148.tif 000004
【図３】
2012216148.tif 000005
【図４】
2012216148.tif 000006
【図５】
2012216148.tif 000007
【図６】
2012216148.tif 000008
【図７】
2012216148.tif 000009
【図８】
2012216148.tif 000010
【図９】
2012216148.tif 000011
【図１０】
2012216148.tif 000012
【図１１】
2012216148.tif 000013
【図１２】
2012216148.tif 000014
【図１３】
2012216148.tif 000015
【図１４】
2012216148.tif 000016